(57)【要約】  【課題】農作物への悪影響の抑制および各種コストの削減。  【解決手段】上下に伸縮するシュータ本体１を、下端開口部１１には両開き構造の開閉蓋２を、内側面には農作物の保護カバー３をそれぞれ備えて構成する。  【選択図】図１
2005060052.tif 000002
【特許請求の範囲】
【請求項１】
上下に伸縮するシュータ本体を備え、
シュータ本体は、上下方向に略折り畳み伸縮可能な柔軟素材を用いて略管状に形成され、下端開口部には両開き構造の開閉蓋を、内側面には農作物の保護カバーをそれぞれ備え、
保護カバーは、シュータ本体の伸縮に伴って変形可能であって、変形時においてしわがよりにくく、かつ弾性を有する弾性素材からなり、シュータ本体の内側面に対して上下方向に任意の間隔をもって複数箇所固着するとともに、非固着部分を内側に撓むようにして装着している農作物移送用シュータ。
【請求項２】
外管の内側または外側に環状体を備え、当該環状態は前記保護カバーの固着部分近傍に装着されている請求項１に記載の農作物移送用シュータ。
【請求項３】
シュータ本体の伸縮手段と開閉蓋の開閉手段をそれぞれ個別に備えている請求項１または請求項２に記載の農作物移送用シュータ。
【発明の詳細な説明】
【技術分野】
【０００１】
本発明は、農作物をタンクからコンテナに移送する際に用いられる農作物移送用シュータに関する。
【背景技術】
【０００２】
従来の農作物移送用シュータは、複数の角型シュータを上下伸縮可能に重合し、各角型シュータ内に、落下して貯留される農作物の重みで下縁が拡がって、農作物を通過させるようにした前後の斜板を固定してなる構造であり、投入される農作物によって撓む斜板を感知して自動的に伸縮させるものである。（例えば、特許文献１参照）
【特許文献１】特開平９−２５５１１８号（〔０００７〕〜〔００１０〕および〔図３〕）
【発明の開示】
【発明が解決しようとする課題】
【０００３】
しかしながら、特許文献に記載のものは、最大に伸ばした状態で農作物が投入されるものであるので、相当高い位置から順次落下する農作物同士の衝突によって、農作物に傷が発生する可能性が有る。
また、伸ばしたときに所定長さを確保できる数の角型シュータを必要とする上に、斜板や斜板のたわみを感知するセンサー等、多くの部材を要しており、これによる部品、製作、メンテナンス等の各種コストの上昇も認められる。
【０００４】
そこで、本発明は、農作物への悪影響の抑制および各種コストの削減を課題とし、この課題を解決する農作物用移送シュータの提供を目的とする。
【課題を解決するための手段】
【０００５】
前記課題を解決するため、本発明は下記の技術的手段を採用した。
その技術的手段は、上下に伸縮するシュータ本体を備え、シュータ本体は、上下方向に略折り畳み伸縮可能な柔軟素材を用いて略管状に形成され、下端開口部には両開き構造の開閉蓋を、内側にはシュータ本体の少なくとも上下方向全域に保護カバーをそれぞれ備え、保護カバーは、シュータ本体の伸縮に伴って変形可能であって、変形時においてしわがよりにくく、かつ弾性を有する弾性素材からなり、シュータ本体の内側面に対して上下方向に任意の間隔をもって複数箇所固着するとともに、非固着部分を内側に撓むようにして装着している農作物移送用シュータにした。（請求項１）
また、外管の内側または外側に環状体を備え、当該環状体を前記保護カバーの固着部分近傍に装着した農作物移送用シュータである。（請求項２）
【発明の効果】
【０００６】
本発明の農作物移送用シュータは、以上の構成によって下記の優れた効果を有する。
保護カバーがシュータ本体の伸縮時に生じるしわを隠し、農作物移送用シュータの内側にシュータ本体のしわを出現させないようにしている。
つまり、しわによる農作物の引っ掛かりを防止して農作物を詰まらせること無くスムースに案内することができる。
さらに、弾性を有する保護カバーが農作物移送用シュータの内側に撓んで突出し、投入されて落下する農作物を受けてその衝撃を緩和するので、衝撃による農作物の傷付きの抑制に大きく貢献する。
さらに、保護カバーを上下に任意の間隔をもって複数箇所固着したことによって、当該固着部分が非変形部となって農作物移送用シュータの上下方向に略蛇腹状を形成するので、農作物移送用シュータを下方から順序良く段階的に伸縮させることができる。
また、下端開口部を開閉する開閉蓋が両開きであるので、下端開口部からコンテナ底部の高さが下端開口部の幅の半分とすることができる。
つまり、片開き構造の開閉蓋に比べて、同様の開口面積を確保しながら、下端開口部からコンテナ底部までの高さを半分にすることができるので、下端開口部から落下する農作物の衝撃の緩和に貢献する。
さらに、下端開口部とコンテナ底部との距離が短くなるので、農作物を供給するコンベアの角度を緩くすることができ、これによって、農作物のコンテナ上での逆流を防止し、効率的な供給をおこなうことができる。
請求項２の発明によれば、前記保護カバーの固着部分近傍に環状体を装着したので、請求項１の効果に加えて、前記略蛇腹状の形状を保持して、段階的な伸縮をより確実に行うことができる。
【発明を実施するための最良の形態】
【０００７】
本発明でいう柔軟素材は、ビニールシートや合成皮革シートが例示できるが、いずれの場合も破れによる破損防止のため、補強シートと一体構造にすることが好ましい。
弾性素材は、硬質スポンジ材やスポンジゴムが例示できるが、いずれの場合も摩擦係数が低いシート材を貼り付けておくことが好ましい。
保護カバーは、シュータ本体の内側の全域に装着すること、または内側の一部に装着することいずれでもよく、シュータ本体の形状や大きさによって任意に選択する。
保護カバーを農作物移送用シュータの内側に確実に撓ますには、シュータ本体の完全伸長時において、多少でも農作物移送用シュータの内側に撓ました状態で装着する。
環状体は、シュータ本体の外周形状に適合する形状であり、好適には塩化ビニールパイプ材のような軽量の素材を用いる。
外側または内側いずれに装着する場合でも、農作物への傷つき防止のため、環状体が露出しないように摩擦係数の低い素材を用いたカバー等で隠しておくことが好適である。
【実施例】
【０００８】
以下、本発明の実施例を図１ないし図に基づいて説明する。
農作物移送用シュータ（以下、「シュータ」という）Ａは、上下に伸縮するシュータ本体１が、伸縮させる伸縮動作部Ｂにより伸縮し、シュータ本体１の下端開口部１１に設けられた開閉蓋２が開閉動作部Ｃにより開閉するものであり、収穫タンク（図示せず）に備えられたコンベアＤの先部に固定されている。
符号ＥはコンベアＤから運搬されてくる農作物の落下を防ぐ落下防止板である。
【０００９】
シュータ本体１は、上下方向に略折り畳み伸縮可能なビニールシートを用いて、左右方向に横長長方形を呈する略管状に形成されている。
本実施例のビニールシートは裏面に補強シートを貼り付けた二重構造のものである。図示せず）、
前述した下端開口部１１の開閉蓋２は前後方向の両開き構造にされている。
シュータ本体１の内側には、シュータ本体１の長手側面の上下方向全域に保護カバー３が配設されている。
保護カバー３は、スポンジゴムシートの表面に薄状の合成樹脂シート（図示せず）を貼り付けてなるシート材を所定形状に裁断して形成したものである。
シュータ本体１の外側には、合成樹脂材からなる複数の環状体４が上下方向に一定間隔をもって装着されている。
【００１０】
開閉蓋２は、シュータ本体１の下端開口部１１に、その中心を境に前後方向に開くように軸支され、前記開閉動作部Ｃによって開閉される。
保護カバー３は、シュータ本体１の内側面、かつ前記環状体４の装着部位近傍に、各環状体４間に非固着部分３１を確保するとともに、非固着部分３１をシュータＡ内の内側に撓ませた状態で複数箇所固着して装着され、図３に示すように、シュータＡが収縮によってシュータ本体１の収縮部位に生じるしわを保護カバー３が隠すようにしてある。
環状体４は、塩化ビニールパイプをシュータ本体１の外周に適合する形状に成型し、これを、前記保護カバー３の固着部分３２近傍に固着することによって、シュータ本体１を下方から順次伸縮させるようにしてある。
【００１１】
伸縮動作部Ｂは、シリンダＢ１と、シリンダＢ１に連結されて当該シリンダＢ２の伸縮に伴って動作するリンク機構Ｂ２と、リンク機構Ｂ２とシュータ本体１の下端開口部１１近くに亘って掛け渡したロープＢ３とから構成されている。
詳述すると、リンク機構Ｂ２は、コンベアＤの左右に立設されたガード板Ｄ１にそれぞれ固定された固定杆Ｂ２１と、固定杆Ｂ２１に対して前後方向に回動可能に軸支されたリンク杆Ｂ２２と、左右のリンク杆Ｂ２２同士を連結する連結杆Ｂ２３とから構成され、前記固定杆Ｂ２１に前記シリンダＢ１の後端を回動可能に軸支し、先端をリンク杆Ｂ２２の中ほどに回動可能に軸支している。
シリンダＢ１は、図面上右側の固定杆Ｂ２１にのみ装備され、シリンダＢ１の動作は前記連結杆Ｂ２３を介して左側のリンク杆Ｂ２２へ伝達するようにしている。
ロープＢ３は、一端をリンク杆Ｂ２２の先端に固定し、固定杆Ｂ２１の後端と先端にそれぞれ設けられたプーリーＢ２４に巻き掛けるとともに、固定杆Ｂ２１の先端からシュータ本体１に沿って下方へ至るようにしている。
ロープＢ３のシュータ本体１に沿う部分は、前記環状体４毎に設けられたリング４１に通し、ロープＢ３の他端を最下部に設けられたリング４１に固定されている。
なお、伸縮動作部は例示した構造に限定するものではない。
【００１２】
開閉動作部Ｃは、前記下端開口部の短手側の上下中心線に対応する位置に、前記左右固定杆Ｂ２１に亘って設けられた保持杆Ｂ２５に横向きとして装着されたシリンダＣ１と、シリンダＣ１の先端から前記開閉蓋２に亘って掛け渡した２本のロープＣ２，Ｃ３とから構成されている。
詳述すると、ロープＣ２は、保持杆Ｂ２５、かつシリンダＣ１の前方に設けられたプーリーＣ４に巻き掛けられて反転し、図面上左側の固定杆Ｂ２に設けられたプーリーＣ５に巻き掛けられて開閉蓋２に至るようにしている。
ロープＣ３は、シリンダＣ１から図面上右側の固定杆Ｂ２に設けられたプーリーにＣ６に巻き掛けられて開閉蓋２に至るようにしている。
両ロープＣ２，Ｃ３の先端は、二又に分かれていて、この二又に分かれたそれぞれの先端が両開きの開閉蓋２における蓋部２１，２２に固定されている。
なお、開閉動作部は、例示した構造に限定するものではない。
【００１３】
以下、前記シュータＡの動作を説明する。
図１および図２はシュータＡを最大限に伸ばした状態を示しており、このとき、シリンダＢ１は収縮してリンク杆Ｂ２２が後方に回動することによって、ロープＢ３が前進してシュータＡが伸びる。
シュータＡが伸びた状態においては、開閉蓋２を開ける程度までコンテナＦの底部Ｆ１に近づけてコンベアＤを下げておくことによって、コンベアＤ角度を緩くすることができるので、コンベアＤ上を運搬される農作物の逆流を防止することができる。
シュータＡは、収縮した状態から徐々に伸ばしながら農作物を貯め、完全に伸びた状態において開閉蓋２を開いて農作物を排出する。
この排出時には、保護カバー３によって農作物の落下による衝撃を緩和し、傷付きを防止している。
シュータＡは、農作物の排出時において排出量に応じて徐々に収縮させるが、このとき、前記シリンダＢ１を伸ばしてリンク杆Ｂ２２を前方に回動させることによって、ロープＢ３が後退してシュータＡを引っ張り上げて収縮させる。（図３参照）
このとき、収縮によって生じるシュータ本体１のしわが内側へ撓む保護カバー３によって隠されるので、農作物がしわに引っ掛からずにスムースに落下する。
また、保護カバー３の固着構造と環状体４の装着構造によって、シュータＡを下方から上方へ順次収縮するようにしている。
【００１４】
なお、本願発明は、例示した実施例に限定するものではなく、特許請求の範囲各項に記載した内容から逸脱しない範囲での実施が可能である。
【図面の簡単な説明】
【００１５】
【図１】本発明に係る農作物移送用シュータの装着状態を示めす切欠側面図。
【図２】同、正面図。
【図３】収縮状態を示す断面図。
【符号の説明】
【００１６】
Ａ：農作物移送用シュータ
Ｂ：伸縮動作部
Ｃ：開閉動作部
Ｄ：コンベア
１：シュータ本体
１１：下端開口部
２：開閉蓋
２１：蓋部
２２：蓋部
３：保護カバー
３１：非固着部分
３２：固着部分
４：環状体
【図１】
2005060052.tif 000003
【図２】
2005060052.tif 000004
【図３】
2005060052.tif 000005